(57)【要約】【課題】本発明は、ネットワーク装置及び通信確立方法を提供する。【解決手段】本発明のネットワーク装置は、第一端末装置と、交換機に接続される第二端末装置との通信を確立することに用いられる。該ネットワーク装置は、信号処理モジュールと、タイミングモジュールと、インターフェースモジュールと、タイムアウト処理モジュールと、を含む。本発明に係るネットワーク装置は、通信請求信号をローカル交換機に送信してから、該ローカル交換機がレディ信号を受信すると、該ローカル交換機との通信を確立した。これにより、該ローカル交換機から送信されるアック信号を無くすと通信を確立できないことを防止できる。また、本発明は、通信確立方法を提供する。【選択図】図１
2007259458.tif 000002
【特許請求の範囲】
【請求項１】
第一端末装置と、交換機に接続される第二端末装置との通信を確立することに用いられるネットワーク装置において、
該第一端末装置から通信請求信号を受信し、且つ該通信請求信号を送信する信号処理モジュールと、
該信号処理モジュールに接続され、第一タイマーと第二タイマーとを具備するタイミングモジュールと、
該信号処理モジュールと該タイミングモジュールに接続され、前記通信請求信号を受信してから、該通信請求信号を前記交換機に送信し、且つ前記第一タイマーをスターティングすること、及び該交換機から送信され、該通信請求信号に応じたレディ信号を受信し、且つ前記第二タイマーをスターティングすることに用いられるインターフェースモジュールと、
該タイミングモジュールと該インターフェースモジュールに接続され、前記第二タイマーがタイムアウトした後に、アック信号を前記交換機に送信することに用いられるタイムアウト処理モジュールと、
を具備することを特徴とするネットワーク装置。
【請求項２】
更に、前記タイミングモジュールと前記インターフェースモジュールに接続され、前記第一タイマーの状態データを記憶することに用いられるタイミングデータモジュールを具備することを特徴とする請求項１記載のネットワーク装置。
【請求項３】
前記インターフェースモジュールは、更に、前記タイミングデータモジュールに質問し、前記第一タイマーの状態を獲得すること及び該第一タイマーの状態を判断することに用いられることを特徴とする請求項２記載のネットワーク装置。
【請求項４】
前記インターフェースモジュールは、更に、前記第一タイマーがまだ運行する時に、停止指令を前記タイミングモジュールに送信することに用いられることを特徴とする請求項３記載のネットワーク装置。
【請求項５】
前記タイミングデータモジュールは、更に、前記第一タイマーの識別子を記憶することに用いられ、前記インターフェースモジュールは、更に、該第一タイマーがまだ運行する時に、該タイミングデータモジュールに質問し、該第一タイマーの識別子を獲得することに用いられることを特徴とする請求項４記載のネットワーク装置。
【請求項６】
前記停止指令は、前記第一タイマーの識別子を具備することを特徴とする請求項５記載のネットワーク装置。
【請求項７】
前記タイムアウト処理モジュールは、前記インターフェースモジュールを介して、アック信号を前記交換機に送信することを特徴とする請求項１記載のネットワーク装置。
【請求項８】
前記通信請求信号は、オフフック信号であり、前記レディ信号は、極性反転信号であることを特徴とする請求項１記載のネットワーク装置。
【請求項９】
前記ネットワーク装置は、アクセスネットワーク装置であることを特徴とする請求項１記載のネットワーク装置。
【請求項１０】
ネットワーク装置において、第一端末装置と、交換機に接続される第二端末装置との通信を確立する通信確立方法は、
インターフェースモジュールは、通信請求信号を該交換機に送信し、且つタイミングモジュールの第一タイマーをスターティングするステップと、
該交換機から送信され、該通信請求信号に応じたレディ信号を受信し、且つタイミングモジュールの第二タイマーをスターティングするステップと、
該第二タイマーがタイムアウトした後に、アック信号を該交換機に送信するステップと、
を具備することを特徴とする通信確立方法。
【請求項１１】
前記第一タイマーをスターティングした後に、更に、該第一タイマーの状態を運行に設定し、且つタイミングデータモジュールに記憶するステップを具備することを特徴とする請求項１０記載の通信確立方法。
【請求項１２】
前記タイミングデータモジュールは、前記第一タイマーの状態データを記憶することに用いられることを特徴とする請求項１１記載の通信確立方法。
【請求項１３】
前記交換機から送信され、前記通信請求信号に応じたレディ信号を受信し、且つタイミングモジュールの第二タイマーをスターティングした後に、更に、前記タイミングデータモジュールに質問し、前記第一タイマーの状態データを獲得すること及び該第一タイマーがまだ運行するかどうかを判断し、該第一タイマーがまだ運行するなら、停止指令を前記タイミングモジュールに送信するステップを具備することを特徴とする請求項１２記載の通信確立方法。
【請求項１４】
前記タイミングデータモジュールは、前記第一タイマーの識別子を記憶することを特徴とする請求項１３記載の通信確立方法。
【請求項１５】
前記第一タイマーがまだ運行するなら、停止指令を前記タイミングモジュールに送信するステップにおいて、更に、前記タイミングデータモジュールに質問し、該第一タイマーの識別子を獲得するステップを具備することを特徴とする請求項１４記載の通信確立方法。
【請求項１６】
前記停止指令は、前記第一タイマーの識別子を具備することを特徴とする請求項１５記載の通信確立方法。
【請求項１７】
更に、前記停止指令を受信し、前記第一タイマーを停止させ、該第一タイマーの状態を停止に設定し、且つタイミングデータモジュールに記憶するステップを具備することを特徴とする請求項１３記載の通信確立方法。
【請求項１８】
前記通信請求信号は、オフフック信号であり、前記レディ信号は、極性反転信号であることを特徴とする請求項１０記載の通信確立方法。
【請求項１９】
前記ネットワーク装置は、アクセスネットワーク装置であることを特徴とする請求項１０記載の通信確立方法。
【発明の詳細な説明】
【技術分野】
【０００１】
本発明は、ネットワーク装置及び通信確立方法に関するものである。
【背景技術】
【０００２】
通信ネットワークの発展につれて、公共交換電話ネットワーク（Ｐｕｂｌｉｃ  Ｓｗｉｔｃｈｅｄ  Ｔｅｌｅｐｈｏｎｅ  Ｎｅｔｗｏｒｋ，ＰＳＴＮ）の加入者が益々増加しているが、公共交換電話ネットワークが混雑していると、例えば、アック（ＡＣＫｎｏｗｌｅｄｇｅｍｅｎｔ  ＡＣＫ）信号などの信号が消失されることが起こり得る。
【０００３】
第一端末装置と第二端末装置が通信接続を確立する時に、アクセスネットワーク装置（ａｃｃｅｓ  ｎｅｔｗｏｒｋ  ｄｅｖｉｃｅ）は、第一端末装置から送信されるオフフック（ｏｆｆ−ｈｏｏｋ）信号を受信してから、該オフフック信号（ｏｆｆ−ｈｏｏｋ  ｓｉｇｎａｌ）をローカル交換機（ｌｏｃａｌ  ｅｘｃｈａｎｇｅ）に送信し、且つタイミングを開始する。ローカル交換機がオフフック信号を第二端末装置に送信してから、第二端末装置もオフフックするなら、ローカル交換機がまず極性反転（Ｐｏｌａｒｉｔｙ  Ｒｅｖｅｒｓｅ）信号を送信し、アック信号を送信する。
【発明の開示】
【発明が解決しようとする課題】
【０００４】
しかし、伝送する過程において、ネットワークが混雑していると、アック信号が消失される可能性がある。アクセスネットワーク装置は、タイミング時間内でローカル交換機から送信されるアック信号を受信しなければ、ローカル交換機との通信を中断する。従って、第一端末装置と第二端末装置が通信を行うことができない。これにより、第一端末装置と第二端末装置のユーザーに不便をもたらす。
【０００５】
従って、本発明は、通信を確立するネットワーク装置及び通信確立方法を提供することを目的とする。
【課題を解決するための手段】
【０００６】
本発明のネットワーク装置は、第一端末装置と、交換機に接続される第二端末装置との通信を確立することに用いられる。該ネットワーク装置は、該第一端末装置から通信請求信号を受信し、且つ該通信請求信号を送信する信号処理モジュールと、該信号処理モジュールに接続され、第一タイマーと第二タイマーとを含むタイミングモジュールと、該信号処理モジュールと該タイミングモジュールに接続され、前記通信請求信号を受信してから、該通信請求信号を前記交換機に送信し、且つ前記第一タイマーをスターティングすること、及び該交換機から送信され、該通信請求信号に応じたレディ信号を受信し、且つ前記第二タイマーをスターティングすることに用いられるインターフェースモジュールと、該タイミングモジュールと該インターフェースモジュールに接続され、前記第二タイマーがタイムアウトした後に、アック信号を前記交換機に送信することに用いられるタイムアウト処理モジュールと、を含む。
【０００７】
本発明の通信確立方法は、第一端末装置と、交換機に接続される第二端末装置との通信を確立することに用いられる。該通信確立方法は、インターフェースモジュールは、通信請求信号を該交換機に送信し、且つタイミングモジュールの第一タイマーをスターティングするステップと、該交換機から送信され、該通信請求信号に応じたレディ信号を受信し、且つタイミングモジュールの第二タイマーをスターティングするステップと、該第二タイマーがタイムアウトした後に、アック信号を該交換機に送信するステップと、を含む。
【発明の効果】
【０００８】
本発明に係るネットワーク装置は、通信請求信号をローカル交換機に送信してから、該ローカル交換機がレディ信号を受信すると、該ローカル交換機との通信を確立するようにしたので、該ローカル交換機から送信されるアック信号の消失により通信を確立できないことを防止することができる。
【発明を実施するための最良の形態】
【０００９】
次に、本発明のネットワーク装置及び通信確立方法を詳しく説明する。
【００１０】
図１は、本発明のネットワーク装置１０の第一実施形態の概略図である。本実施形態において、ネットワーク装置１０は、第一端末装置３０とローカル交換機２０に接続され、ローカル交換機２０は、第二端末装置４０に接続される。該ネットワーク装置１０は、ローカル交換機２０との通信を確立することに用いられるから、第一端末装置３０と第二端末装置４０の通信を確立する。ネットワーク装置１０は、アクセスネットワーク装置であり、第一端末装置３０と第二端末装置４０は、例えば、電話機などの公共交換電話ネットワークの端末装置である。本発明の他の実施形態において、ローカル交換機２０は、他の交換機でもよい。
【００１１】
ネットワーク装置１０は、信号処理モジュール１００と、タイミングモジュール１１０と、タイムアウト処理モジュール１２０と、インターフェースモジュール１３０とを含む。信号処理モジュール１００は、第一端末装置３０から送信される通信請求信号を受信し、且つ該通信請求信号をインターフェースモジュール１３０に送信する。本実施形態において、該通信請求信号がオフフック信号である。タイミングモジュール１１０は、信号処理モジュール１００に接続され、第一タイマー１１２及び第二タイマー１１４を含み、第一タイマー１１２と第二タイマー１１４が別々に識別子（Ｉｄｅｎｔｉｆｉｅｒ）に対応する。
【００１２】
インターフェースモジュール１３０は、信号処理モジュール１００とタイミングモジュール１１０に接続され、信号処理モジュール１００に送信される通信請求信号を受信し、該通信請求信号をローカル交換機２０に送信し、且つ第一タイマー１１２をスターティングする。ローカル交換機２０は、通信請求信号を受信してから、該通信請求信号を第二端末装置４０に送信する。第二端末装置４０が利用可能し、通信請求を受けるなら、ローカル交換機２０がまず通信請求信号に応じたレディ信号（Ｒｅａｄｙ  Ｓｉｇｎａｌ）をネットワーク装置１０に送信し、アック信号をネットワーク装置１０に送信する。本実施形態において、第二端末装置４０は、通信請求を受信し、即ちオフフックし、レディ信号は、極性反転信号である。インターフェースモジュール１３０は、ローカル交換機２０から送信されるレディ信号を受信し、且つ第二タイマー１１４をスターティングすることに用いられる。本実施形態において、該インターフェースモジュール１３０は、ネットワーク装置１０とローカル交換機２０が通信を行うインターフェースである。本実施形態において、該インターフェースモジュール１３０は、Ｖ５.２インターフェースである。第一タイマー１１２のタイミング時間は、１０秒であり、第二タイマー１１４のタイミング時間は、５秒である。
【００１３】
タイムアウト処理モジュール１２０は、タイミングモジュール１１０及びインターフェースモジュール１３０に接続され、第二タイマー１１４がタイムアウトした後に、アック信号をローカル交換機２０に送信することに用いられる。この時に、第一端末装置３０と第二端末装置４０が通信を行うことができる。本実施形態において、該タイムアウト処理モジュール１２０は、インターフェースモジュール１３０を介して、アック信号をローカル交換機２０に送信する。
【００１４】
ネットワーク装置１０は、ローカル交換機２０から送信されるレディ信号を受信した後に、第一タイマー１１２が運行しているかどうか、或いは、ローカル交換機２０からレディ信号を送信した後のアック信号を受信するかどうかを問わずに、該ローカル交換機２０と通信を行い続けられることを認められる。従って、アック信号をローカル交換機２０に送信することにより、第一端末装置３０と第二端末装置４０との通信を確立しようとする。
【００１５】
図２は、本発明のネットワーク装置１０’の第二実施形態の概略図である。本実施形態において、ネットワーク装置１０’が更に、タイミングデータモジュール１４０を含み、他の部分が図１に示すようなネットワーク装置１０と同じである。該タイミングデータモジュール１４０は、前記タイミングモジュール１１０及び前記インターフェースモジュール１３０に接続され、前記第一タイマー１１２のデータを記憶することに用いられる。該データは、該第一タイマー１１２の状態データを含む。該第一タイマー１１２の状態は、運行状態と停止状態を含み、別々に同じではない符号で表示する。例えば、運行状態が０で表示し、停止状態が１で表示する。第一タイマー１１２がタイミングを開始する時に、タイミングモジュール１１０が第一タイマー１１２の状態を運行に設定し、且つタイミングデータモジュール１４０に記憶する。第一タイマー１１２がタイミングを停止するなら、タイミングモジュール１１０が第一タイマー１１２の状態を停止に設定し、且つタイミングデータモジュール１４０に記憶する。
【００１６】
インターフェースモジュール１３０は、レディ信号を受信してから、タイミングデータモジュール１４０に質問し、第一タイマー１１２の状態データを獲得し、該第一タイマー１１２がまだ運行するかどうかを判断し、及び該第一タイマー１１２がまだ運行するなら、停止指令をタイミングモジュール１１０に送信することにより、該第一タイマー１１２を停止しようとする。タイミングモジュール１１０は、停止指令を受信すると、第一タイマー１１２を停止し、第一タイマー１１２を停止状態に設定し、タイミングデータモジュール１４０に記憶する。
【００１７】
本発明の他の実施形態において、タイミングデータモジュール１４０に記憶されるデータは、第一タイマー１１２の識別子を含む。インターフェースモジュール１３０は、第一タイマー１１２がまだ運行することを判断してから、タイミングデータモジュール１４０に質問し、第一タイマー１１２の識別子を獲得し、且つ停止指令をタイミングモジュール１１０に送信し、第一タイマー１１２を停止する。本実施形態において、停止指令は、第一タイマー１１２の識別子を含む。タイミングモジュール１１０は、停止指令を受信し、識別子によって、第一タイマー１１２を停止し、第一タイマー１１２の状態を停止に設定し、且つタイミングデータモジュール１４０に記憶する。
【００１８】
図３は、本発明の第一実施形態のネットワーク装置において、通信確立方法の流れ図である。信号処理モジュール１００は、第一端末装置３０から通信請求信号を受信し、且つ該通信請求信号をインターフェースモジュール１３０に送信する。ステップＳ３００において、該インターフェースモジュール１３０は、前記通信請求信号をローカル交換機２０に送信し、且つタイミングモジュール１１０の第一タイマー１１２をスターティングする。該ローカル交換機２０が前記通信請求信号を受信してから、第二端末装置４０が該通信請求を受けるなら、該ローカル交換機２０は、該通信請求信号に応じたレディ信号をネットワーク装置１０に送信する。ステップＳ３０２において、インターフェースモジュール１３０は、レディ信号を受信し、且つタイミングモジュール１１０の第二タイマー１１４をスターティングする。ステップＳ３０４において、第二タイマー１１４がタイムアウトした後に、タイムアウト処理モジュール１２０は、インターフェースモジュール１３０を介して、アック信号をローカル交換機２０に送信する。従って、ネットワーク装置１０は、ローカル交換機２０との通信を確立した。即ち、第一端末装置３０と第二端末装置４０とは、通信を行うことができる。
【００１９】
図４は、本発明の第二実施形態のネットワーク装置において、通信確立方法の流れ図である。信号処理モジュール１００は、第一端末装置３０から通信請求信号を受信し、且つ該通信請求信号をインターフェースモジュール１３０に送信する。ステップＳ４００において、該インターフェースモジュール１３０は、該通信請求信号をローカル交換機２０に送信し、且つタイミングモジュール１１０の第一タイマー１１２をスターティングする。ステップＳ４０２において、タイミングモジュール１１０は、第一タイマー１１２の状態を運行に設定し、且つタイミングデータモジュール１４０に記憶する。ローカル交換機２０は、通信請求信号を受信してから、レディ信号をネットワーク装置１０’に送信する。ステップＳ４０４において、インターフェースモジュール１３０は、レディ信号を受信し、タイミングモジュール１１０の第二タイマー１１４をスターティングする。ステップＳ４０６において、インターフェースモジュール１３０は、タイミングデータモジュール１４０に質問することにより、第一タイマー１１２の状態データを獲得し、且つ該第一タイマー１１２がまだ運行するかどうかを判断しようとする。
【００２０】
第一タイマー１１２がまだ運行するなら、ステップＳ４０８に入って、タイミングデータモジュール１４０に質問し、第一タイマー１１２の識別子を獲得し、停止指令をタイミングモジュール１１０に送信し、該第一タイマー１１２を停止する。本実施形態において、停止指令は、第一タイマー１１２の識別子を含む。ステップＳ４１０において、タイミングモジュール１１０は、停止指令を受信し、第一タイマー１１２を停止し、第一タイマー１１２の状態を停止に設定し、且つタイミングデータモジュール１４０に記憶する。ステップＳ４１２に入る。
【００２１】
第一タイマー１１２がタイミングを停止するなら、直接にステップＳ４１２に入る。ステップＳ４１２において、第二タイマー１１４がタイムアウトした後に、タイムアウト処理モジュール１２０は、インターフェースモジュール１３０を介して、アック信号をローカル交換機２０に送信する。
【００２２】
ネットワーク装置１０またはネットワーク装置１０’は、通信請求信号をローカル交換機２０に送信してから、該ローカル交換機２０がレディ信号を受信すると、該ローカル交換機２０との通信を確立するようにしたので、該ローカル交換機２０から送信されるアック信号の消失により通信を確立できないことを防止することができる。
【図面の簡単な説明】
【００２３】
【図１】本発明のネットワーク装置の第一実施形態の概略図である。
【図２】本発明のネットワーク装置の第二実施形態の概略図である。
【図３】本発明の第一実施形態のネットワーク装置において、通信確立方法の流れ図である。
【図４】本発明の第二実施形態のネットワーク装置において、通信確立方法の流れ図である。
【符号の説明】
【００２４】
１０、１０’  ネットワーク装置
２０  ローカル交換機
３０  第一端末装置
４０  第二端末装置
１００  信号処理モジュール
１１０  タイミングモジュール
１１２  第一タイマー
１１４  第二タイマー
１２０  タイムアウト処理モジュール
１３０  インターフェースモジュール
１４０  タイミングデータモジュール
【図１】
2007259458.tif 000003
【図２】
2007259458.tif 000004
【図３】
2007259458.tif 000005
【図４】
2007259458.tif 000006